(57)【特許請求の範囲】
【請求項１】
指定管理鳥獣の侵入が防止される保護領域の近傍で、地面上または地面から前記指定管理鳥獣の足が上がる高さだけ上方の位置に水平方向に多列的に設置された複数枚のネットと、
前記ネットを支持する支持手段と、を備え、
前記ネットの編み目は、前記指定管理鳥獣の足が挿入可能で、かつ前記編み目から前記指定管理鳥獣の足を抜こうとする際に前記足に引っかかる大きさであり、
前記支持手段は、地面に立設された複数本の支柱と、前記ネットの設置列を挟むように前記支柱に張設される複数本のロープと、前記ロープに装着されて前記ネットの端縁を保持する複数個の保持部材とを有し、
前記保持部材は、前記ネットが前記指定管理鳥獣の足に引っかかって引っ張られた場合に、前記ネットの保持を解除する解除機能を有する、
ことを特徴とする指定管理鳥獣の方向誘導装置。
【請求項２】
前記保持部材は、前記ロープに装着される装着部と、前記ネットの端縁を引っかけて保持する保持部とを有し、前記保持部は、前記ネットが引っ張られた場合に弾性変形して前記ネットの保持を解除することを特徴とする請求項１に記載の指定管理鳥獣の方向誘導装置。
【請求項３】
前記保持部材は、前記ロープが挿通可能なように線材がコイル状に巻かれた前記装着部と、前記装着部の端部が前記コイル部分から外周に引き出され、前記ネットが引っかけられるように屈曲された前記保持部とを備えることを特徴とする請求項２に記載の指定管理鳥獣の方向誘導装置。
【請求項４】
前記支柱は、
地面に立設される柱部と、
前記柱部の上部に設けられて前記ロープがその外周方向から挿入可能なロープ保持部と、を備え、
前記ロープ保持部は、前記柱部に後端が固定され、先端が前記柱部の側面に当接された弾性部材からなり、前記弾性部材は、前記先端と後端との間が前記ロープの挿入が可能なように屈曲されている
ることを特徴とする請求項１から３のいずれか１項に記載の指定管理鳥獣の方向誘導装置。
【請求項５】
前記ロープ保持部は、前記柱部に後端が固定され、先端が前記柱部の側面に当接された弾性部材からなり、前記弾性部材は、前記先端と後端との間が前記ロープの挿入が可能なように屈曲されていることを特徴とする請求項４に記載の指定管理鳥獣の方向誘導装置。
【発明の詳細な説明】
【技術分野】
【０００１】
本発明は、猪や鹿などの指定管理鳥獣による農地や土構造物への有害行動を防止し、指定管理鳥獣が移動する方向を誘導するための方向誘導装置および方法に関する。
【背景技術】
【０００２】
近年、平野の外縁部から山間地までの中山間地域において、人口の減少や生活スタイルの変化に伴い、耕作放棄地の増加や山林原野の利用放棄が広がり、環境の変化が進んでいる。このような環境が変化した中山間地域は、猪や鹿などの大型獣に餌、隠れ場所、水などを提供する生息適地となるため、大型獣の生息数および生息分布域が拡大している。大型獣の増加は、農地での食害や人への被害（噛みつき、寄生虫など）、堤防や土手、盛り土などの土構造物に対する棄損などのさまざまな問題をもたらしている。特に、土構造物では、法面の法尻部に生息するミミズを猪が捕食するために掘り返すなどの有害行動が増加している。法尻部は、斜面安定上極めて重要な部分であり、この部分の緩みは斜面崩壊の危険度を増加させる。また、同様な理由から、猪により石垣を壊される被害も発生している。このような大型獣による被害の拡大を防止するため、環境省では、従来の鳥獣保護法を改正した新たな鳥獣保護管理法において、猪および鹿を適正規模に捕獲可能な指定管理鳥獣として指定している。
【０００３】
従来、農地や土構造物などの保護領域内に対する指定管理鳥獣の侵入を防止するため、各種の侵入防止対策が施されている。例えば、従来の侵入防止対策には、金属フェンスや合成樹脂製のネットなどで保護領域内を囲んで指定管理鳥獣の侵入を防止するもの（例えば、特許文献１、２参照）、センサーライトや蓄光機能を有する合成樹脂製のネットから放射される光、電気ショックなどを利用して指定管理鳥獣に不快感や恐怖感を与えて保護領域への侵入を防止するもの（例えば、特許文献３、４参照）、罠などで指定管理鳥獣を駆除するもの（例えば、特許文献５参照）などが知られている。
【先行技術文献】
【特許文献】
【０００４】
【特許文献１】特開２００１−００８６０４号公報
【特許文献２】特開２００８−１８７９５１号公報
【特許文献３】特開２０００−１９４９２７号公報
【特許文献４】実用新案登録第３１７２０５３号公報
【特許文献５】特開２０１４−０８３０４９号公報
【発明の概要】
【発明が解決しようとする課題】
【０００５】
従来の侵入防止対策は、その設置に多額の費用や手間を必要とするだけでなく、金属フェンスやネットの破損状況の確認や、電気ショックを与えるための電気設備のメンテナンスなど、ランニングコストの負担が大きい。また、従来の侵入防止対策は、その設置コストが大きいことから、指定管理鳥獣に設備を破損された場合の被害額も大きくなってしまう。さらに、大がかりな設備は、人や車両の移動に制約がかかることから、小規模な農地などには実施しにくいという問題もある。
【０００６】
また、改正後の鳥獣保護管理法では、罠などで捕獲した指定管理鳥獣をその場で放置することが認められているため、集落周辺で捕獲された指定管理鳥獣がその場に放置される可能性がある。このような事態が発生した場合、放置された指定管理鳥獣の腐敗によるハエの発生や、住民の衛生に悪影響を及ぼす可能性がある。
【０００７】
本発明は、上記課題を解決するために、設置コストやランニングコストが低廉でありながら、農地や土構造物などの保護領域への高い侵入防止効果が得られる指定管理鳥獣の方向誘導装置および方法を提供することを目的とする。
【課題を解決するための手段】
【０００８】
上記課題を解決するために、請求項１の発明は、指定管理鳥獣の侵入が防止される保護領域の近傍で、地面上または地面から前記指定管理鳥獣の足が上がる高さだけ上方の位置に水平方向に多列的に設置された複数枚のネットと、前記ネットを支持する支持手段と、を備え、前記ネットの編み目は、前記指定管理鳥獣の足が挿入可能で、かつ前記編み目から前記指定管理鳥獣の足を抜こうとする際に前記足に引っかかる大きさであり、前記支持手段は、地面に立設された複数本の支柱と、前記ネットの設置列を挟むように前記支柱に張設される複数本のロープと、前記ロープに装着されて前記ネットの端縁を保持する複数個の保持部材とを有し、前記保持部材は、前記ネットが前記指定管理鳥獣の足に引っかかって引っ張られた場合に、前記ネットの保持を解除する解除機能を有することを特徴とする。
【００１２】
請求項２の発明は、保持部材は、ロープに装着される装着部と、ネットの端縁を引っかけて保持する保持部とを有し、保持部は、ネットが引っ張られた場合に弾性変形してネットの保持を解除することを特徴とする。
【００１３】
請求項３の発明は、保持部材は、ロープが挿通可能なようにコイル状に巻かれた装着部と、装着部の端部がコイル部分から外周に引き出され、ネットが引っかけられるように屈曲された保持部とを備えることを特徴とする。
【００１４】
請求項４の発明は、支柱は、地面に立設される柱部と、柱部の上部に設けられてロープがその外周方向から挿入可能なロープ保持部とを備えることを特徴とする。
【００１５】
請求項５の発明は、ロープ保持部は、柱部に後端が固定され、先端が柱部の側面に当接された弾性部材からなり、弾性部材は、先端と後端との間がロープの挿入可能なように屈曲されていることを特徴とする。
【発明の効果】
【００１７】
指定管理鳥獣として指定されている猪や鹿などの偶蹄目は、足の先端に２本の主蹄と、そのやや上の後ろ側に２本の副蹄とを有し、これら主蹄や副蹄の間に物が挟まり、あるいは足自体が挟まる可能性があるものを嫌う習性がある。また、猪や鹿は、自分の前足は見えるが後ろ足は見えないため、後足を下ろす位置は自分では意識してコントロールすることができない。そのため、請求項１の発明によれば、本装置に猪や鹿が侵入した場合に、前足がネットの編み目に挿入されて絡まり、足が曲げられバランスを崩す等の現象を高い確率で経験することになる。また、主蹄や副蹄にネットが挟まることにより、猪や鹿に不快感を与えることもできる。仮に、前足が無事に侵入して着地できたとしても、死角であり意識して着地場所をコントロールできない後足は、前足より更に高い確率でネットに絡まり、主蹄および副蹄の間にネットが挟まることになる。したがって、地面上または地面から所定高さだけ上方の位置に、複数枚のネットを水平方向に多列的に設置するという非常に簡素な構成でありながら、保護領域内への指定管理鳥獣の侵入を効果的に防止し、その保護領域外に指定管理鳥獣の移動方向を誘導することができる。
【００１８】
また、支持手段が、複数本の支柱、複数本のロープおよび複数個の保持部材という簡素な構成であるため、設置の費用が安く、手間もかからないため、小規模の農地でも簡単に施工することができる。また、従来のフェンス型の装置に比べて、メンテナンス費用も抑えることができる。
【００１９】
さらに、ネットの編み目の大きさを適正にサイズにしたので、指定管理鳥獣の足に確実に引っかけて絡めることができる。
【００２０】
そして、保持部材は、ネットが指定管理鳥獣の足に引っかかって引っ張られた場合にネットの保持を解除するので、支柱、ロープおよびその他のネットへの影響（破壊等）を避けることができると伴に、指定管理鳥獣は足にネットが絡まった不快な状態を学習することになるので、本装置の不快感を学習した指定管理鳥獣の侵入を効果的に防止することができる。
【００２１】
請求項２記載の発明によれば、保持部材の保持部は、ネットが引っ張られた場合に弾性変形してネットの保持を解除する簡便な構成なのでローコストに採用することができる。
【００２２】
請求項３記載の発明によれば、保持部材の装着部は、ロープが挿通可能なようにコイル状に巻かれているので、ロープに装着後に簡単に位置を調整することができる。また、保持部材の保持部は、装着部の端部がコイル部分から外周に引き出されて屈曲されたものなので、簡単にネットの装着を行うことができる。したがって、本装置の設置にかかる手間を大幅に軽減することができる。
【００２３】
請求項４記載の発明によれば、支柱の柱部に設けられたロープ保持部に対し、ロープをその外周方向から挿入して保持させることができるので、保持部材が装着された後のロープでも簡単に支柱に保持させることができる。したがって、本装置の設置にかかる手間を大幅に軽減することができる。
【００２４】
請求項５記載の発明によれば、ロープ保持部を、後端が固定され先端が柱部に当接された弾性部材という簡素な構造体により構成しているので、ローコストに採用することができる。
【図面の簡単な説明】
【００２５】
【図１】この発明の実施の形態に係る指定管理鳥獣の方向誘導装置を示す概略構成図である。
【図２】図１の指定管理鳥獣の方向誘導装置の最小構成を示す概略構成図である。
【図３】図１の保持部材の外観形状を示す斜視図である。
【図４】図１の支柱の概略構成を示す側面図である。
【図５】図１の指定管理鳥獣の方向誘導装置に猪が侵入した状態を示す説明図である。
【図６】猪の足に図１に示すネットが絡まった状態、および主蹄および副蹄にネットが挟まった状態を示す説明図である。
【発明を実施するための形態】
【００２６】
以下、この発明を図示の実施の形態に基づいて説明する。
【００２７】
図１ないし図６は、この発明の実施の形態を示し、図１は、この実施の形態に係る指定管理鳥獣の方向誘導装置（以下、誘導装置という）１を示す概略構成図である。方向誘導装置１は、例えば、傾斜した法面２１を有する土手２の法尻部２２に法面２１の下端に沿うように設置されている。猪３や鹿などの指定管理鳥獣は、法面２１および法尻部２２に生息するミミズや、植生する草木などを捕食するために土手２に出没し、法面２１や法尻部２２を掘り返す。方向誘導装置１は、指定管理鳥獣の法尻部２２および法面２１への侵入を防止して、指定管理鳥獣の移動方向を保護領域である土手２以外の場所へ誘導する。
【００２８】
図１および図２に示すように、方向誘導装置１は、地面Ｇから所定高さＴだけ上方の位置に水平方向に多列的に設置された複数枚のネット４と、ネット４を支持する支持手段である複数本の支柱５、ネット４の設置列を挟むように支柱５に張設される複数本のロープ６、およびロープ６に装着されてネット４の端縁を保持する複数個の保持部材７を備える。
【００２９】
ネット４は、例えば短辺Ｌ１が２０〜３０ｃｍ、長辺Ｌ２が３０〜５０ｃｍの正方形または長方形である。ネット４には、猪３などの指定管理鳥獣の足３１が挿入可能で、かつ指定管理鳥獣が足３１を抜こうとする際に足３１に引っかかる大きさの編み目４１が複数設けられている。編み目４１は、例えば１辺が２〜５ｃｍの正方形、長方形をしている。なお、編み目４１の形状は、正方形、長方形以外の多角形でもよいし、三角形、円形または楕円形であってもよい。ネット４には、合成樹脂製のものを用いてもよいし、金属製のものを用いてもよい。
【００３０】
ネット４は、図示するように、地面Ｇから所定高さＴだけ上方の位置に設置してもよいし、地面Ｇに直接設定してもよい。ネット４が設置される限界高さとしては、例えば、猪２が法尻部２２に進入する際に足３１が上がる高さが好ましく、例えば２０ｃｍ程度が好ましい。したがって、ネット４の設置高さＴは、地面Ｇから０〜２０ｃｍの範囲が好ましい。
【００３１】
図３に示すように、支柱５は、地面Ｇに立設される柱部５１と、柱部５１の上部に設けられてロープ６がその外周方向から挿入可能なロープ保持部５２とを備える。柱部５１は、断面が円形または多角形形状のいわゆるペグと呼ばれる杭である。ロープ保持部５２は、柱部５１に後端５１ｂが固定され、先端５１ａが柱部５１の側面に当接された金属板の弾性部材からなる。ロープ保持部５２は、先端５１ａと後端５１ｂとの間がロープ６の挿入可能な空間が形成されるように屈曲されている。なお、ロープ保持部５１を金属板で構成したが、金属製の弾性を有する線材や、耐候性を有する合成樹脂製の板材または線材を用いてもよい。
【００３２】
図４に示すように、保持部材７は、ロープに装着される装着部７１と、ネット４の端縁を引っかけて保持する保持部７２とを有し、保持部７２は、ネット４が引っ張られた場合に弾性変形してネット４の保持を解除する機能を有する。装着部７１は、ロープ６が挿通可能なように丸棒状の線材がコイル状に巻かれた形態をしている。また、保持部７２は、装着部７１の両端部がコイル部分から外周に引き出され、ネット４が引っかけられるように屈曲された形態となっている。線材としては、例えば、弾性を有する金属線材が用いられる。なお、耐候性を有する合成樹脂製の線材を用いてもよい。
【００３３】
次に、上記方向誘導装置１の作用について説明する。図１に示すように、方向誘導装置１は、最初に土手２の法尻部２２に複数本の支柱５を所定間隔で立設する。次いで、予め複数個の保持部材７が挿通された複数本のロープ６を支柱５のロープ保持部５２に保持させていき、ロープ６の両端を端部の支柱５に固定して張設する。最後に、ロープ６に保持されている保持部材７の位置を調節しながら、保持部材７の保持部７２に複数枚のネット４の端部を順に引っかけていき、ネット４を地面Ｇから所定高さに設置する。このように、本実施形態の方向誘導装置１の設定は、非常に簡単であり、手間がかからないため、短時間で施工することが可能である。
【００３４】
図５に示すように、猪３などの指定管理鳥獣は、法面２１および法尻部２２に生息するミミズや、植生している草木を捕食するために土手２に出没する。猪３が法尻部２２に足３１を踏み入れると、足３１はネット４の編み目４１に挿入される。図６に示すように、猪３や鹿などの偶蹄目の足３１は、先端に２本の主蹄３１ａを有し、主蹄３１ａの後方上部には、軟質の膨張部３１ｂがある。また、膨張部３１ｂの上部には、２本の副蹄３１ｃが存在する。
【００３５】
足３１が挿入されたネット４は、編み目４１が副蹄３１ｃの上部で絡まり、主蹄３１ａの間や、足３１と副蹄３１との間に挟まる。指定管理鳥獣は、主蹄３１ａや副蹄３１ｃの間に物が挟まったり、足３１自体が挟まる可能性があるものを嫌う習性があるため、ネット４から足３１を抜こうとして足３１を上げ下ろししたり、法尻部２２から後退する。ネット４は、足３１の膨張部３１ｂに引っかかり、主蹄３１ａや副蹄３１ｃに挟まっているため、足３１は容易にネット４から抜けることはない。そのため、ネット４が猪３に引っ張られることにより、保持部材７の保持部７２が弾性変形してネット４の保持が解除される。猪３は、足３１にネット４が絡まり、不快な状態が維持されるため、法尻部２２への侵入を諦めて移動方向を変更する。
【００３６】
仮に、猪３の前足が無事に法尻部２２内に侵入して着地できたとしても、死角であり意識して着地場所をコントロールできない後足は、前足より更に高い確率でネット４に絡まり、主蹄３１ａおよび副蹄３１ｃの間にネット４が挟まることになる。したがって、猪３の後足３１にも不快感を与えることができるので、法尻部２２への侵入を防止することができる。
【００３７】
以上で説明したように、地面Ｇ上または地面Ｇから所定高さＴに複数枚のネット４を水平方向に多列的に設置するという非常に簡素な構成でありながら、土手２という保護領域への指定管理鳥獣の侵入を効果的に防止し、保護領域外に指定管理鳥獣の移動方向を誘導することができる。また、複数枚のネット４は、複数本の支柱５、複数本のロープ６および複数個の保持部材７という簡素な構成で保持できるため、設置の費用が安く、手間もかからないため、小規模の農地でも簡単に施工することができる。また、従来のフェンス型の装置に比べて、メンテナンス費用も抑えることができる。
【００３８】
さらに、ネット４の編み目４１の大きさを、指定管理鳥獣の足３１が挿入可能で、かつ指定管理鳥獣が足３１を抜こうとする際に足３１に引っかかる適正にサイズにしたので、指定管理鳥獣の足に確実に引っかけて絡めることができる。
【００３９】
また、保持部材７は、ネット４が指定管理鳥獣の足３１に引っかかって引っ張られた場合にネット４の保持を解除するので、指定管理鳥獣は足３１にネット４が絡まった不快な状態を学習することになる。したがって、本装置の不快感を学習した指定管理鳥獣の侵入を効果的に防止することができる。また、保持部材７の保持部７２は、ネットが引っ張られた場合に弾性変形してネット４の保持を解除する簡便な構成なのでローコストに採用することができる。さらに、保持部材７の装着部７１は、ロープ６が挿通可能なようにコイル状に巻かれているので、ロープ６に装着後に簡単に位置を調整することができる。また、保持部材７の保持部７２は、装着部７１の端部がコイル部分から外周に引き出されて屈曲されたものなので、簡単にネット４の装着を行うことができる。したがって、本装置の設置にかかる手間を大幅に軽減することができる。
【００４０】
さらに、支柱５の柱部５１に設けられたロープ保持部５２に対し、ロープ６をその外周方向から挿入して保持させることができるので、保持部材７が装着された後のロープ６でも簡単に支柱５に保持させることができる。したがって、本装置の設置にかかる手間を大幅に軽減することができる。また、ロープ保持部を、後端が固定され先端が柱部に当接された弾性部材という簡素な構造体により構成しているので、ローコストに採用することができる。
【００４１】
以上、この発明の実施の形態を詳述してきたが、具体的な構成はこの実施の形態に限られるものではなく、この発明の要旨を逸脱しない範囲の設計の変更等があっても、この発明に含まれる。例えば、ロープ６に予め装着される保持部材７を用いたが、支柱５に保持された後のロープ６に着脱自在な保持部材を装着するようにしてもよい。この場合、支柱５には、ロープ６を外周方向から挿入可能にするロープ保持部５２が不要になるので、支柱５のコストをさらに下げることができる。
【００４２】
また、本発明の方向誘導装置を複数セット設置して、所定の位置に設置した捕獲用の罠まで指定管理鳥獣を誘導するようにすることもできる。これによれば、本発明の方向誘導装置を指定管理鳥獣により有害行動を防止するという消極的な利用だけでなく、指定管理鳥獣の個体数の制御という積極的な有害行動の防止にも利用することができる。
【符号の説明】
【００４３】
１        指定管理鳥獣の方向誘導装置
２        土手
３        猪
３１      足
４        ネット
４１      編み目
５        支柱
５１      柱部
５２      ロープ保持部
６        ロープ
７        保持部材
７１      装着部
７２      保持部
【図１】
0006604010.tif 000002
【図２】
0006604010.tif 000003
【図３】
0006604010.tif 000004
【図４】
0006604010.tif 000005
【図５】
0006604010.tif 000006
【図６】
0006604010.tif 000007